(57)【要約】      （修正有）【課題】相互接続されたセマンティックデータにソースデータを昇格させるための方法およびプラットフォームを提供する。【解決手段】プラットフォーム１は、セマンティックデータを生成するためのものであって、少なくとも１つのオントロジサーチレイヤと、１つのオントロジ品質メトリックレイヤと、１つのオントロジ類似性測定レイヤとによって形成される少なくとも１つのオントロジ選択モジュール１ｂと、オントロジ選択モジュール１ｂによって作成されるセマンティックデータのフォーマットをＲＤＦフォーマットに変換するためのデータ変換モジュール１ｃと、ツールセットによってＲＤＦフォーマットに変換されたセマンティックデータの間のリンクを生成するためのデータ相互接続モジュール１ｄと、変換されたソースを内部データウェアハウスに置くためのデータ公開モジュール１ｅと、を備える。【選択図】図１
2018109977.tif 000002
【特許請求の範囲】
【請求項１】
異種データのソースを、単一の「オールインワン」ソースを形成する５つの段階（ａ、ｂ、ｃ、ｄ、ｅ）に編成されている、相互接続されたセマンティックデータに「昇格させる」ためのプラットフォーム（１）であって、少なくとも１つのプロセッサ、データの記憶のための少なくとも１つのメモリおよび／または前記プロセッサによって実行可能な命令、を備えた少なくとも１つのハードウェアとコンピュータアーキテクチャとを含んでおり、拡張可能なモジュールのセットによってサポートされた機能と、プラットフォーム（１）の前記モジュールのプロセスを制御するための少なくとも１つの「管理システム」（１ａ）と、を実装する、プラットフォーム（１）において、それにより、各段階において、プラットフォームのモジュールのリストとアーキテクチャ（ソースおよびモジュール）とを拡張することが、パラメトライズすること（上り）と、トレーサビリティ（下り）と、それだけではなく、有効な再生であるかまたはそうでないか（説明可能性）と、柔軟性（モジュールの修正）との元来の手段をそれに与えるために、プラットフォームにそれ自体を知るに至らせる特定のオントロジによって記述され、プラットフォームのモジュールのリストが、少なくとも、
ａ）データの変換のために意図された１つまたは複数のオントロジを選択するための「オントロジ選択」モジュール（１ｂ）と、
ｂ）選択されたオントロジにまたは特定の構造のソースに記載されたセマンティックを用いることによってＲＤＦ（セマンティックデータモデル）に変換するために（この場合には、オンザフライでアドホックオントロジが生成される）、データソースと称されるデータセットを、データベースまたはトリプルストア抽出に加えて様々な異種フォーマット（ＣＳＶ、ＸＭＬ、ＳＨＰ、ＧＭＬなど）に入力する「データ変換」モジュール（１ｃ）と、
ｃ）変換されたソースを内部データウェアハウスに置くための「データ公開」モジュール（１ｅ）と、
ｄ）ウェアハウスに置かれたデータの間に、ツールセットによって、異なるタイプのリンクを確立するためのいくつかの「データ相互接続」モジュール（１ｄ）であって、セマンティックデータの間のこれらのリンクが、それ自体、セマンティックデータである、いくつかの「データ相互接続」モジュール（１ｄ）と、
ｅ）セマンティックデータ上で実行可能な様々な処理の結果を生じさせ露出させることが意図された、いくつかの「データ活用」モジュールと、
を備える、プラットフォーム（１）。
【請求項２】
少なくとも１つの「オントロジサーチ」層と、少なくとも１つの「オントロジ品質メトリック」層と、少なくとも１つの「オントロジ類似性測定」層と、少なくとも、前記「オントロジ選択」モジュール（１ｂ）を形成するように前記層の相互接続機能を実装するための、プロセッサによって実行可能な命令と、
少なくとも、データセットを通じて同等なリソースを見つけるように「データ相互接続」モジュール（１ｄ）のデータセットにおいて、キー識別子の自動計算を可能にするツールセットを実装するための、プロセッサによって実行可能な命令と、
をさらに備えることを特徴とする、請求項１に記載のプラットフォーム（１）。
【請求項３】
「オントロジ選択」モジュール（１ｂ）の命令が、プロセッサによって実行可能であり、使用可能なオントロジを選択するためのプロセスとインジケータとの定義を可能にし、各オントロジが、フィールドと与えられたプロバイダのデータの構造とに適応されており、命令は、データ相互接続と、公開オーソリティの信頼性および持続性と、セマンティックウェブの規格の遵守とを支持する能力を有することを特徴とする、請求項１または２に記載のプラットフォーム（１）。
【請求項４】
「オントロジ選択」モジュール（１ｂ）の命令が、プロセッサによって実行可能であり、オントロジの少なくとも１つのカタログの構築を可能にし、カタログの構築が、プロセスとインジケータとの定義に基づいており、各オントロジの前記カタログが、その有効な使用のインジケータと、カタログにおけるまたはカタログの外にある他のオントロジへの相互接続の程度と、公開オーソリティに対するメタデータとを備えることを特徴とする、請求項１から３のいずれか一項に記載のプラットフォーム（１）。
【請求項５】
「オントロジ選択」モジュール（１ｂ）の実行可能な命令が、プロセッサによるそれらの実行の間に、選択モジュールのアドホック表現構造が、セマンティックウェブ上の特定のフィールドから来るデータを構造化して取り扱うことを可能にするための表現構造を含むことを特徴とする、請求項１から４のいずれか一項に記載のプラットフォーム（１）。
【請求項６】
「オントロジ選択」モジュール（１ｂ）の命令が、プロセッサによって実行可能であり、データプロバイダが、前記カタログにおいて、公開されるデータに対するオントロジまたはオントロジのパターンを、それによって選択することができるプロセスと、ソースデータモデルとターゲットデータの構造との間での選択されたオントロジによるマッピングまたは変換のための規則とを定義することを特徴とする、請求項１から５のいずれか一項に記載のプラットフォーム（１）。
【請求項７】
「データ変換」モジュール（１ｃ）の命令が、プロセッサによって実行可能であり、プラットフォーム上で用いられるＵＲＩセットを設計し、ＵＲＩをデータエディタのデータにリンクさせるための正しい方法をデータエディタが見つけることを助けるための指令を生成し、前記ＵＲＩポリシが、特に、
ＵＲＩの人間工学と持続性とを最大化するためのフィールド名と経路の構造とを選択すること、
リソースが出現し、徐々になくなり、消滅するときに、ＵＲＩを維持または修正すること、
リソースの間の相互接続とリソースの表現とによるＵＲＩの解決、
という主題に及び、ソースデータが既存のまたは自然な識別子を有するか有しないかに従って異なる状況が与えられた場合に、エディタに対する前記指令が、元の識別子またはデータ特性と公開されたＵＲＩとの間のアライメントのプロセスを提案することを特徴とする、請求項１に記載のプラットフォーム（１）。
【請求項８】
「データ変換」モジュール（１ｃ）の命令が、プロセッサによって実行可能であり、データ変換、すなわち国際化およびローカライゼーションのための前記データのコーディングとのための少なくとも１つのコネクタライブラリを設計し実装するためのツールセットを提供し、前記ツールセットが、フィールドとアプリケーションとの間で再利用可能であることを特徴とする、請求項１および７に記載のプラットフォーム（１）。
【請求項９】
「データ変換」モジュール（１ｃ）の命令によって供給されたツールセットが、プロセッサによって実行可能であり、プロバイダからのデータセットをＲＤＦフォーマットに移行させるのに用いられることを特徴とする、請求項１または７または８に記載のプラットフォーム（１）。
【請求項１０】
前記データセットの選択が、少なくとも、以下の点、すなわち、
データをカットすることまたは特定のモデルの拡張を必要とせずに、広範囲のデータパターンを扱うための、選択されたオントロジのカタログにおける能力と、
余分な作業なしで、または、ワークフローの間のアドホックな介入を許容することなく、最も多様なフォーマットもしくは元のフォーマットおよび符号化でのデータの移行を保証するためのツールの変換のセットの能力と、
供給されたデータセットの間に相互接続されるかまたはリンクされたデータのクラウドに属する他のデータセットと相互接続されるかのいずれかであるデータを、「データ相互接続」モジュール（１ｄ）に提供するためのデータセットの能力と、
を確認することによって、ツールセットの堅牢性とスケーラビリティとを評価するために、前記データセットの選択がなされることを特徴とする、請求項９に記載のプラットフォーム（１）。
【請求項１１】
「データ変換」モジュール（１ｃ）の、プロセッサによって実行可能な命令によって供給されたツールセットが、ライセンスおよび権利をデータに追加することを特徴とする、請求項１または７または８に記載されたプラットフォーム（１）。
【請求項１２】
「データ変換」モジュール（１ｃ）の、プロセッサによって実行可能である命令によって供給されたツールセットが、データと関連する各ＲＤＦトリプレットにソース「概念」を追加し、各ソースが、前記データの実際のまたは仮想的な発生元を特定することを特徴とする、請求項１１に記載のプラットフォーム（１）。
【請求項１３】
「データ相互接続」モジュール（１ｄ）におけるデータセットのキー識別子の自動計算のためのツールセットが、ＲＤＦデータセットのペアリングのために修正された「Ｆｅｌｌｅｇｉ−Ｓｕｎｔｅｒ」アーカイブをリンクさせるためのモデルを用いた統計データの解析のための少なくとも１つのプロセスを備えることを特徴とする、請求項１に記載のプラットフォーム（１）。
【請求項１４】
「データ相互接続」モジュール（１ｄ）におけるデータセットのキー識別子の自動計算のためのツールセットが、処理されたデータセットにキープロパティの計算結果を添付するための少なくとも１つのメタデータ語彙を備えることを特徴とする、請求項１に記載のプラットフォーム（１）。
【請求項１５】
「データ相互接続」モジュール（１ｄ）におけるデータセットのキー識別子の自動計算のためのツールセットが、キープロパティの自動計算によって生成されたキー識別子に少なくとも基づく少なくとも１つの相互接続ツールを備えることを特徴とする、請求項１に記載のプラットフォーム（１）。
【請求項１６】
セマンティックデータの記憶のための「データ公開」モジュール（１ｅ）も備えることを特徴とする、請求項１に記載のプラットフォーム（１）。
【請求項１７】
「データ公開」モジュール（１ｅ）が、データサーバまたはクラウドタイプのアーキテクチャを有しており、自律的であるかまたはプラットフォームの中に統合されているかのいずれかであることを特徴とする、請求項１５に記載のプラットフォーム（１）。
【請求項１８】
「データ公開」モジュール（１ｅ）が、少なくとも１つのＲＤＦストレージシステムと、データプロバイダが、データの「昇格」から生じるデータを、リンクされたデータの形式で、プラットフォーム上において、示すようにさせるための前記モジュールの、プロセッサによって実行可能である命令によって供給されたツールセットとを備えることを特徴とする、請求項１５または１６に記載のプラットフォーム（１）。
【請求項１９】
「データ公開」モジュール（１ｅ）が、また、リクエストおよびプログラミングインターフェースと、ＵＲＩ逆参照機構とデータ相互接続モジュール（１ｄ）のツールの結果として生じる相互接続の公開とを提供するためのツールセットとを備えることを特徴とする請求項１５または１６または１７に記載のプラットフォーム。
【請求項２０】
プラットフォームにおけるデータの公開の上流におけるアプリケーションの開発と「昇格」のプロセスの評価のための「データおよびアプリケーションの評価」モジュール（１ｆ）も備えることを特徴とする、請求項１に記載のプラットフォーム（１）。
【請求項２１】
プロセッサによって実行可能である、「データおよびアプリケーションの評価」モジュール（１ｆ）の命令が、公開データを問い合わせるおよび／または調査するおよび／または見るための手段を開発するためのツールセットを提供することを特徴とする、請求項２０に記載のプラットフォーム（１）。
【請求項２２】
前記ツールセットが、前記アプリケーションのサービスと機能とを改善するために、開発されたアプリケーションにおいて、データプロバイダとユーザとからのフィードバックを要求するための少なくとも１つのインターフェースを備えることを特徴とする、請求項２１に記載のプラットフォーム。
【請求項２３】
「データおよびアプリケーションの評価」モジュール（１ｆ）で実行されたコードが、少なくとも、
統計データウェブアプリケーションの地理表示と複合地図／時間とのためのウェブユーザインターフェースと、
ライセンスおよび権利の添付のモデルを用いることによって、データの発生元と信頼性とに関する通知を行うウェブユーザインターフェースと、
グラフィクスと定量的背景情報に関するそれ以外の表示とを生成するための無料ウェブの規格を配備するウェブユーザインターフェースと、
を実行することを特徴とする、請求項２１に記載のプラットフォーム（１）。
【請求項２４】
「データおよびアプリケーションの評価」モジュールにおいて実行されたコードが、モバイルアプリケーションのための少なくとも１つのＡＰＩも実行し、前記ＡＰＩは、プラットフォーム（１）で公開されるリンクされたデータへのアクセスを提供することを特徴とする、請求項２１または２３に記載のプラットフォーム（１）。
【請求項２５】
「管理システム」（１ａ）が、プラットフォームの各モジュールへのアクセスを与えるための少なくとも１つのプログラミングインターフェース（ＡＰＩ）を提供する、プロセッサによって実行可能な命令を備えており、前記ＡＰＩは、データ公開を拡張するまたは改善する新たなモジュールの開発である、外部ツールにおけるデータの「昇格」を含むことを特徴とする、請求項１に記載のプラットフォーム（１）。
【請求項２６】
データの記憶のための少なくとも１つのメモリを備えたコンピュータアーキテクチャの少なくともプロセッサにおいて実行される、サブプロセスのセットを備えており相互接続されたセマンティックデータにソースデータを「昇格させる」ための方法であって、前記セットが、少なくとも、
−  データ公開のためにオントロジを選択するステップと、
−  前記データを適切なフォーマットに変換するステップと、
−  データを他のソースと相互接続するステップと、
−  前記リンクされたデータを公開するステップと、
を実行する、前記方法において、
オントロジを選択するためのサブプロセスが、オントロジのサーチプロセスと、オントロジメトリックプロセスと、オントロジ類似性測定プロセスとの少なくとも１つの実行ステップを備えており、前記プロセスは接続されており、
データ相互接続サブプロセスが、統計モデルによってデータセットにおけるキー識別子の少なくとも１つの自動計算を実行する、
ことを特徴とする、方法。
【請求項２７】
オントロジを選択するためのサブプロセスが、また、
使用可能なオントロジの選択のために、プロセスおよびインジケータを定義および選択するステップと、
定義されたプロセスおよびインジケータに基づいて、オントロジのカタログを構築するステップと、
特定の知識をモデル化するステップと、
プロバイダからのデータモデルをカタログのオントロジにマッピングするステップと、
を備えることを特徴とする、請求項２６に記載の方法。
【請求項２８】
データ変換サブプロセスが、
データエディタのために、ＵＲＩポリシを定義し、ガイドラインを作成するステップと、
一式の変換ツールを開発するステップと、
一式の変換ツールをデータセットに適用するステップと、
ライセンスおよび権利をデータに添付するステップと、
を備えることを特徴とする、請求項２６に記載の方法。
【請求項２９】
ライセンスおよび権利をデータに添付するためのステップが、少なくとも、
発生元情報からの情報を、名前付きグラフと、ＲＤＦモデルおよびＲＤＦ／ＸＭＬシンタックスの拡張とによって、ＲＤＦグラフに追加するステップと、
ライセンス情報を発生元と名前付きグラフィクスとにリンクさせ、ライセンスに関する情報リンクを取得するための手段をデータ要素に提供するステップと、
応答において用いられるデータのトレーサビリティを可能にするリクエスト機構を拡張するステップと、
リクエストが、これらのグラフのデータを用いることができ、権利を記述するフォーマリズムを提供することができるように、確認される制限を指示することによって、アクセス権をグラフにリンクさせるステップと、
リクエストを解決するためのプロセスの間に、アクセス権を考慮するためのリクエスト機構を拡張するステップと、
を備えることを特徴とする、請求項２８に記載の方法。
【請求項３０】
データ相互接続サブプロセスが、また、
データセットの相互接続ツールを開発するステップと、
相互接続ツールを、データセットに適用するステップと、
を備えることを特徴とする、請求項２６に記載の方法。
【請求項３１】
プロセスとインジケータとが、カタログ、データの変換およびデータ相互接続の構築に対するそれらの効率を評価することによって、反復的に選択されることを特徴とする、請求項２７から３０のいずれか一項に記載の方法。
【発明の詳細な説明】
【技術分野】
【０００１】
本発明は、情報処理の分野に関し、さらに詳しくは、セマンティックウェブ上の情報を処理するためのプラットフォームおよび方法に関する。
【背景技術】
【０００２】
セマンティックウェブ（「データウェブ」とも称される）とは、セマンティックスすなわちウェブ上の情報の意味を、機械が理解することを可能にするような、古典的ウェブの規格化された拡張である。それは、構造化されたデータの間のリンクのネットワークにより、従来型のウェブサイトの間のハイパーリンクのネットワークを拡張し、自動化されたエージェントに、よりインテリジェントに、ウェブ上にホストされている異なるデータソースにアクセスさせ、この方法で、より正確なタスク（サーチ、相互接続、学習など）を、ユーザのために遂行させる。
【０００３】
いくつかの基本概念が、特にオントロジが、セマンティックウェブの開発のために用いられる。オントロジとは、情報に意味を与えるための構造化された概念のセットとして、定義される。この構造化は、概念指向グラフの形式をとる。
【０００４】
データの処理を保証して、それらからセマンティックスを抽出するためにオントロジを構築するためのプロセスおよびツールが、存在する。しかし、これらのプロセスおよび／またはツールは、たとえば、リンクされたデータの範囲に関するオントロジの特性に集中しているのではなく、および／または、データの少なくとも１回の手作業での入力を必要とする。処理されるべきデータフローの量が相当あるときには、これが、それらが適応される度合いを、より少なくさせることがあり得る。
【発明の概要】
【発明が解決しようとする課題】
【０００５】
本発明の目的は、情報を処理することに関する従来技術のいくつかの短所を取り除くことである。
【０００６】
本発明の第１の目的は、データベースから情報を抽出するためにデータベースを処理するための、インフラストラクチャを提案することである。
【課題を解決するための手段】
【０００７】
この目的は、異種データのソースを、単一の「オールインワン」ソースを形成する５つの段階（ａ、ｂ、ｃ、ｄ、ｅ）に編成されており相互接続されたセマンティックデータに「昇格させる（ｅｌｅｖａｔｉｏｎ）」ためのプラットフォームによって、達成される。前記プラットフォームは、少なくとも１つのプロセッサ、データの記憶のための少なくとも１つのメモリおよび／または前記プロセッサによって実行可能な命令を備えた、少なくとも１つのハードウェアとコンピュータアーキテクチャとを含んでおり、拡張可能なモジュールのセットによってサポートされた機能と、プラットフォームの前記モジュールのプロセスを制御するための少なくとも１つの「管理システム」とを実装するように、設計される。各段階において、モジュールのリストは、拡張可能である。プラットフォームである完全なデバイスのアーキテクチャ（ソースおよびモジュール）は、プラットフォームにそれ自体を知るに至らせる特定のオントロジによって記述される。これは、また、それに、パラメトライズ（上り）と、トレーサビリティ（下り）と、さらには有効な再生であるかどうか（説明可能性）との元来の手段を、与える。結果的に生じるアーキテクチャの柔軟性は、プラットフォームを、新たな機能のための実験のフィールドに、変換させる。モジュールの業務は、また、純粋に実験的な目標から明確に産業的なものに、容易に、多様化または修正され得る。プラットフォームのモジュールのリストは、少なくとも：
ａ）データの変換のために意図された１つまたは複数のオントロジを選択するための「オントロジ選択」モジュールと、
ｂ）選択されたオントロジまたは特定の構造のソースに記述されたセマンティックを用いることによってＲＤＦ（セマンティックデータモデル）に変換するために（この場合、アドホックオントロジが、オンザフライで、生成される）、データソースと称されるデータセットを、データベースまたはトリプルストア抽出に加えて様々な異種フォーマット（ＣＳＶ、ＸＭＬ、ＳＨＰ、ＧＭＬなど）に、入力する「データ変換」モジュールと、
ｃ）変換されたソースを内部データウェアハウスに置くための「データ公開」モジュールと、
ｄ）ウェアハウスに置かれたデータの間の異なるタイプのリンクであって、セマンティックデータの間のこれらのリンクはそれ自体がセマンティックデータであるようなリンクを、ツールセットによって確立するためのいくつかの「データ相互接続」モジュールと、
ｅ）セマンティックデータにおいて実行可能な様々な処理の結果を生じさせ露出させるように意図された、いくつかの「データ活用」モジュールと、
を備える。
【０００８】
別の特定の特徴によると、前記プラットフォームは、さらに：
少なくとも１つの「オントロジサーチ」層と、少なくとも１つの「オントロジ品質メトリック」層と、少なくとも１つの「オントロジ類似性測定」層と、少なくとも、前記「オントロジ選択」モジュールを形成するように前記層の相互接続機能を実装するための、プロセッサによって実行可能な命令と、
少なくとも、データセットを通じて同等なリソースを見つけるように「データ相互接続」モジュールのデータセットにおいて、キー識別子の自動計算を可能にするツールセットを実装するための、プロセッサによって実行可能な命令と、
を備える。
【０００９】
別の特定の特徴によると、「オントロジ選択」モジュールの命令は、プロセッサによって実行可能であり、使用可能なオントロジを選択するためのプロセスとインジケータとの定義を可能にし、各オントロジは、フィールドと与えられたプロバイダのデータの構造とに適応されており、命令は、データ相互接続と、公開オーソリティの信頼性および持続性と、セマンティックウェブの規格の遵守とを支持する能力を有する。
【００１０】
別の特定の特徴によると、「オントロジ選択」モジュールの命令は、プロセッサによって実行可能であり、オントロジの少なくとも１つのカタログの構築を可能にし、カタログの構築は、プロセスとインジケータとの定義に基づいており、各オントロジの前記カタログは、その有効な使用のインジケータと、カタログにおけるまたはカタログの外にある他のオントロジへの相互接続の程度と、公開オーソリティに対するメタデータとを備える。
【００１１】
別の特定の特徴によると、「オントロジ選択」モジュールの実行可能な命令は、プロセッサによるそれらの実行の間に、選択モジュールのアドホック表現構造が、セマンティックウェブ上の特定のフィールドから来るデータを構造化して取り扱うことを可能にするための表現構造を含む。
【００１２】
別の特定の特徴によると、「オントロジ選択」モジュールの命令は、プロセッサによって実行可能であり：
データプロバイダが、前記カタログにおいて、公開されるデータに対するオントロジまたはオントロジのパターンを、それによって選択することができるプロセスと、
ソースデータモデルとターゲットデータの構造との間での選択されたオントロジによるマッピングまたは変換のための規則と、
を定義する。
【００１３】
別の特定の特徴によると、「データ変換」モジュールの命令は、プロセッサによって実行可能であり、プラットフォーム上で用いられるＵＲＩセットを設計し、ＵＲＩをデータエディタのデータにリンクさせるための正しい方法をデータエディタが見つけることを助けるための指令を生成し、前記ＵＲＩポリシは、特に：
ＵＲＩの人間工学と持続性とを最大化するためのフィールド名と経路の構造とを選択すること、
リソースが出現し、徐々になくなり、消滅するときには、ＵＲＩを維持または修正すること、
リソースの間の相互接続とリソースの表現とによるＵＲＩの解決、
という主題に及び、ソースデータが既存のまたは自然な識別子を有するか有しないかに従って異なる状況が与えられた場合に、エディタに対する前記指令が、元の識別子またはデータ特性と公開されたＵＲＩとの間のアライメントのプロセスを提案する。
【００１４】
別の特定の特徴によると、各「データ変換」モジュールの命令は、プロセッサによって実行可能であり、データ変換、すなわち国際化およびローカライゼーションのための前記データのコーディングとのための少なくとも１つのコネクタライブラリを設計し実装するためのツールセットを提供し、前記ツールセットは、フィールドとアプリケーションとの間で再利用可能である。
【００１５】
別の特定の特徴によると、「データ変換」の各モジュールの命令によって供給されたツールセットは、プロセッサによって実行可能であり、プロバイダからのデータセットをＲＤＦフォーマットに移行させるのに用いられる。
【００１６】
別の特定の特徴によると、前記データセットの選択は、少なくとも、以下の点、すなわち：
データをカットすることまたは特定のモデルの拡張を必要とせずに、広範囲のデータパターンを扱うための、選択されたオントロジのカタログにおける能力と、
余分な作業なしで、または、ワークフローの間のアドホックな介入を許容することなく、最も多様なフォーマットもしくは元のフォーマットおよび符号化でのデータの移行を保証するためのツールの変換のセットの能力と、
供給されたデータセットの間に相互接続されるかまたはリンクされたデータのクラウドに属する他のデータセットと相互接続されるかのいずれかであるデータを、「データ相互接続」モジュールに提供するためのデータセットの能力と、
を確認することによって、ツールセットの堅牢性とスケーラビリティとを評価するために、前記データセットの選択がなされる。
【００１７】
別の特定の特徴によると、プロセッサにより、「データ変換」モジュールの実行可能な命令によって供給されたツールセットは、ライセンスおよび権利をデータに追加する。
【００１８】
別の特定の特徴によると、各「データ変換」モジュールの、プロセッサによって実行可能である命令によって供給されたツールセットは、データと関連する各ＲＤＦトリプレットにソース「概念」を追加し、各ソースは、前記データの実際のまたは仮想的な発生元を特定する。
【００１９】
別の特定の特徴によると、各「データ相互接続」モジュールにおけるデータセットのキー識別子の自動計算のためのツールセットは、ＲＤＦデータセットのペアリングのために修正されたデータ（記録リンケージ）「Ｆｅｌｌｅｇｉ−Ｓｕｎｔｅｒ」をリンクさせるためのモデルを用いた統計データの解析のための少なくとも１つのプロセスを備える。
【００２０】
別の特定の特徴によると、各「データ相互接続」モジュールにおけるデータセットのキー識別子の自動計算のためのツールセットは、処理されたデータセットにキープロパティの計算結果を添付するための少なくとも１つのメタデータ語彙を備える。
【００２１】
別の特定の特徴によると、各「データ相互接続」モジュールにおけるデータセットのキー識別子の自動計算のためのツールセットは、キープロパティの自動計算によって生成されたキー識別子に少なくとも基づく少なくとも１つの相互接続ツールを備える。
【００２２】
別の特定の特徴によると、プラットフォームは、セマンティックデータの記憶のための「データ公開」モジュールも備える。
【００２３】
別の特定の特徴によると、「データ公開」モジュールは、データサーバまたはクラウドタイプのアーキテクチャを有しており、自律的であるかまたはプラットフォームの中に統合されているかのいずれかである。
【００２４】
別の特定の特徴によると、「データ公開」モジュールは、少なくとも１つのＲＤＦストレージシステムと、データプロバイダが、データの「昇格」から生じるデータを、リンクされたデータの形式で、プラットフォーム上において、示すようにさせるための前記モジュールの、プロセッサによって実行可能である命令によって供給されたツールセットとを備える。
【００２５】
別の特定の特徴によると、「データ公開」モジュールは、また、リクエストおよびプログラミングインターフェースと、ＵＲＩ逆参照機構とデータ相互接続モジュールのツールの結果として生じる相互接続の公開とを提供するためのツールセットとを備える。
【００２６】
別の特定の特徴によると、プラットフォームは、また、プラットフォームにおけるデータの公開の上流におけるアプリケーションの開発と「昇格」のプロセスの評価のための「データおよびアプリケーションの評価」モジュールを備える。
【００２７】
別の特定の特徴によると、プロセッサによって実行可能である、「データおよびアプリケーションの評価」モジュールの命令は、公開データを問い合わせるおよび／または調査するおよび／または見るための手段を開発するためのツールセットを提供する。
【００２８】
別の特定の特徴によると、前記ツールセットは、前記アプリケーションのサービスと機能とを改善するために、開発されたアプリケーションにおいて、データプロバイダとユーザとからのフィードバックを要求するための少なくとも１つのインターフェースを備える。
【００２９】
別の特定の特徴によると、「データおよびアプリケーションの評価」モジュールで実行されたコードは、少なくとも：
統計データウェブアプリケーションの地理表示と複合地図／時間とのためのウェブユーザインターフェースと、
ライセンスおよび権利の添付のモデルを用いることによって、データの発生元と信頼性とに関して通知するウェブユーザインターフェースと、
グラフィクスと定量的背景情報に関するそれ以外の表示とを生成するための無料ウェブの規格を配備するウェブユーザインターフェースと、
を実行する。
【００３０】
別の特定の特徴によると、「データおよびアプリケーションの評価」モジュールにおいて実行されたコードは、モバイルアプリケーションのための少なくとも１つのＡＰＩも実行し、前記ＡＰＩは、プラットフォームで公開されるリンクされたデータへのアクセスを提供する。
【００３１】
別の特定の特徴によると、「管理システム」は、プラットフォームの各モジュールへのアクセスを与えるための少なくとも１つのプログラミングインターフェース（ＡＰＩ）を提供する、プロセッサによって実行可能な命令を備えており、前記ＡＰＩは、データ公開を拡張するまたは改善する新たなモジュールの開発である、外部ツールにおけるデータの「昇格」を含む。
【００３２】
本発明の別の目的は、従来技術の１つまたは複数の短所を修正するためのプロセスを提案することである。
【００３３】
この目的は、データの記憶のための少なくとも１つのメモリを備えたコンピュータアーキテクチャの少なくともプロセッサにおいて実行される、サブプロセスのセットを備えており、相互接続されたセマンティックデータにソースデータを「昇格させる」ための方法によって達成されるのであるが、前記セットは、少なくとも：
−  データ公開のためにオントロジを選択するステップと、
−  前記データを適切なフォーマットに変換するステップと、
−  データを他のソースと相互接続するステップと、
−  前記リンクされたデータを公開するステップと、
を実行し、前記方法は：
オントロジを選択するためのサブプロセスが、オントロジのサーチプロセスと、オントロジメトリックプロセスと、オントロジ類似性測定プロセスとの少なくとも１つの実行ステップを備えており、前記プロセスは接続されており、
データ相互接続サブプロセスが、統計モデルによってデータセットにおけるキー識別子の少なくとも１つの自動計算を実行する、
ことを特徴とする。
【００３４】
別の特定の特徴によると、オントロジを選択するためのサブプロセスは、また：
使用可能なオントロジの選択のために、プロセスおよびインジケータを定義および選択するステップと、
定義されたプロセスおよびインジケータに基づいて、オントロジのカタログを構築するステップと、
特定の知識をモデル化するステップと、
プロバイダからのデータモデルをカタログのオントロジにマッピングするステップと、
を備える。
【００３５】
別の特定の特徴によると、データ変換サブプロセスは：
データエディタのために、ＵＲＩポリシを定義し、ガイドラインを作成するステップと、
一式の変換ツールを開発するステップと、
一式の変換ツールをデータセットに適用するステップと、
ライセンスおよび権利をデータに添付するステップと、
を備える。
【００３６】
別の特定の特徴によると、ライセンスおよび権利をデータに添付するためのステップは、少なくとも：
発生元情報を、名前付きグラフと、ＲＤＦモデルおよびＲＤＦ／ＸＭＬシンタックスの拡張とによって、ＲＤＦグラフに追加するステップと、
ライセンス情報を発生元と名前付きグラフィクスとにリンクさせ、ライセンスに関する情報リンクを取得するための手段をデータ要素に提供するステップと、
応答において用いられるデータのトレーサビリティを可能にするリクエスト機構を拡張するステップと、
リクエストが、これらのグラフのデータを用いることができ、権利を記述するフォーマリズムを提供することができるように、確認される制限を指示することによって、アクセス権をグラフにリンクさせるステップと、
リクエストを解決するためのプロセスの間に、アクセス権を考慮するためのリクエスト機構を拡張するステップと、
を備える。
【００３７】
別の特定の特徴によると、データ相互接続サブプロセスは、また：
データセットの相互接続ツールを開発するステップと、
相互接続ツールを、データセットに適用するステップと、
を備える。
【００３８】
別の特定の特徴によると、プロセスとインジケータとは、カタログ、データの変換およびデータ相互接続の構築に対するそれらの効率を評価すること（得点形式の手法による）によって、反復的に選択される。
【００３９】
本発明の他の特定の特徴および効果は、次の添付の図面を参照して行われる以下の説明から、より明確に生じるであろう。
【図面の簡単な説明】
【００４０】
【図１】ある実施形態により、ソースデータを、相互接続されたセマンティックデータに「昇格させる」ためのプラットフォームのアーキテクチャの図である。
【発明を実施するための形態】
【００４１】
本発明は、ソースデータの処理と相互接続またはリンクされたセマンティックデータへのそれらの変換とのためのプラットフォーム（図１の１）に関する。
【００４２】
いくつかの実施形態では、ソースまたは生データを相互接続されたセマンティックデータに「昇格させる」ためのプラットフォーム（１）は、少なくとも１つのデータベース（２）（図１を参照のこと）から生じるデータフローからセマンティックデータを生成するための少なくとも１つの「オントロジ選択」モジュール（１ｂ）と、相互接続されるデータセットを含んでおり、選択モジュール（１ｂ）によって作成されたセマンティックデータのフォーマットをＲＤＦフォーマットに変換するための「データ変換」モジュール（１ｃ）と、ＲＤＦフォーマットに変換されたセマンティックデータの間のリンクをツールセットによって作成するための「データ相互接続」モジュール（１ｄ）と、を備えており、前記プラットフォームは、少なくとも１つのプロセッサと、プロセッサによって各モジュールの機能を実行するためのデータおよび／または実行可能な命令を記憶するための少なくとも１つのメモリと、プラットフォームの各モジュールのプロセスを制御するための少なくとも１つの「管理システム」（１ａ）とを備えた少なくとも１つのハードウェアおよびコンピュータアーキテクチャを含み、前記プラットフォームは、それが：
少なくとも１つの「オントロジサーチ」層と、少なくとも１つの「オントロジ品質メトリック」層と、少なくとも１つの「オントロジ類似性測定」層と、少なくとも、前記「オントロジ選択」モジュール（１ｂ）を形成するように前記層の相互接続機能を実装するための、プロセッサによって実行可能な命令と、
少なくとも、データセットを通じて同等なリソースを見つけるように「データ相互接続」モジュール（１ｄ）のデータセットにおいて、キー識別子の自動計算を可能にするツールセットを実装するための、プロセッサによって実行可能な命令と、
をさらに備えることを特徴とする。
【００４３】
データの「昇格」またはデータの「セマンティックな昇格」とは、様々なタイプのデータ（構造化されていない、半構造化された、または構造を有する）および／または非セマンティックなメタデータからセマンティックを抽出して、前記データをオントロジの内部における関係、属性および概念に変換すること、から構成されるプロセスを意味する。オントロジは、情報に意味を与え、与えられたフィールドにおいて知識のセットをモデル化して、コンピュータによって利用可能な形式で知識の体系を表現するための、概念の構造セットとして、定義される。一般的に、オントロジは、オブジェクト、データセットもしくはクラス、属性（性質、機能、特性、またはオブジェクトが有するおよび／もしくは共有することができるパラメータ）、前記オブジェクトの間の関係もしくはリンク、ならびに／または属性もしくは関係によって生じる変化に対応するイベントを、記述する。
【００４４】
ＲＤＦフォーマット（リソース記述フレームワーク）とは、リソースを記述するように機能するおよび／または前記リソースの間の関係を肯定する、オントロジの言語である。それは、構造化されていない言語で書かれた文書に注釈を付けるために、または、同等なセマンティックを有する言語で書かれた文書（たとえば、データベース）のためのインターフェースとして、用いられることが可能である。ＲＤＦの基礎を構成する要素は、トリプレットの組（主語（サブジェクト）、述語（プレディケイト）、目的語（オブジェクト））であり、ここで、主語とは記述されるリソースであり、述語とは主語に適用可能な性質のタイプであり、目的語とはデータまたは別のリソースである。これらのトリプレットの要素は、ＵＲＩ（Ｕｎｉｆｏｒｍ  Ｒｅｓｏｕｒｃｅ  Ｉｄｅｎｔｉｆｉｅｒｓ）のリテラル（一定値）または変数であり得る。トリプレットの組は、一般に、原点がその主語であり宛先がその目的語であるグラフによって、表される。ＲＤＦ文書は、ＸＭＬを含めて、異なる複数のシンタックスで書かれることが可能である。しかし、ＲＤＦそれ自体は、ＸＭＬダイアレクトではない。トリプレットを表現するのに、他のシンタックスを用いることが可能である。ＲＤＦは、単に、ノードによって構成され、上述されたようにグラフに編成された構造である。
【００４５】
いくつかの実施形態では、「オントロジ選択」モジュール（１ｂ）の命令は、プロセッサによって実行可能であり、使用可能なオントロジを選択するためのプロセスとインジケータとの定義を可能にする。各オントロジは、フィールドと与えられたプロバイダのデータの構造とに適応される。前記命令は、また、データ相互接続と、公開オーソリティの信頼性および持続性と、セマンティックウェブの規格の遵守とを支持する能力を有する。
【００４６】
いくつかの実施形態では、「オントロジ選択」モジュール（１ｂ）の命令は、プロセッサによって実行可能であり、オントロジの少なくとも１つのカタログの構築を可能にし、その構築は、プロセスとインジケータとの定義に基づく。各オントロジにとって、前記カタログは、その有効な使用のインジケータと、カタログにおけるまたはカタログの外にある他のオントロジへの相互接続の程度と、公開オーソリティに対するメタデータとを備える。
【００４７】
カタログの構築のためには、プロセスとインジケータとが、公開のディレクトリもしくはサーチエンジンにおいて入手可能またはデータプロバイダから入手可能のいずれかである広範囲のオントロジに適用される。前記カタログは、各構築が先行するものに追加されそれを豊富にする、反復的でインクリメンタルなプロセスに従って、作られる。
【００４８】
いくつかの実施形態では、「オントロジ選択」モジュール（１ｂ）の命令は、プロセッサによって実行可能であり、選択モジュールに含まれるアドホック表現構造が、セマンティックウェブ上の特定のフィールドから来るデータを構造化して取り扱うことを可能にする。たとえば、非限定的な例であるが、処理されるデータがジオロケートされた実体または地域的なデータに関する場合には、実行可能な命令は、地理的な概念のオントロジを用いて、前記地理データに注釈を付するためのツールを提供する。
【００４９】
いくつかの実施形態では、「オントロジ選択」モジュール（１ｂ）の命令は、プロセッサによって実行可能であり
データプロバイダが、前記カタログにおいて、公開されるデータに対するオントロジまたはオントロジのパターンを、それによって選択することができるプロセスと、
ソースデータモデルとターゲットデータの構造との間での選択されたオントロジによるマッピングまたは変換のための規則と、
を定義する。
【００５０】
「マッピング」とは、与えられた集合のいずれかのタイプのデータと異なる集合のデータとを関連付けるプロセスを意味しており、その目的は、ある集合から別の集合に、互換性の問題を生じることなく、移すことである。
【００５１】
いくつかの実施形態では、プロセッサによって実行可能な「データ変換」モジュール（１ｃ）の命令は、プラットフォーム（１）上で用いられるＵＲＩセットを設計し、ＵＲＩをデータエディタのデータにリンクさせるための正しい方法をデータエディタが見つけることを助けるための指令を生成するのであるが、前記ＵＲＩポリシは、特に：
ＵＲＩの人間工学と持続性とを最大化するためのフィールド名と経路の構造とを選択すること、
リソースが出現し、徐々になくなり、消滅するときには、ＵＲＩを維持または修正すること、
リソースの間の相互接続とリソースの表現とによるＵＲＩの解決、
という主題に及び、ソースデータが既存のまたは自然な識別子を有するか有しないかに従って異なる状況が与えられた場合に、エディタに対する前記指令は、元の識別子またはデータ特性と公開されたＵＲＩとの間のアライメントのプロセスを提案する。
【００５２】
ＵＲＩは、ネットワーク上の物理的または抽象的なリソース（たとえば、ウェブリソース）を識別する文字の短い連鎖である。「ｈｔｔｐ」というプレフィックスを有するＵＲＬ（ｕｎｉｆｏｒｍ  ｒｅｓｏｕｒｃｅ  ｌｏｃａｔｏｒ）が、その中の特定の場合であるＵＲＩは、一般的にセマンティックウェブのための、そして特にデータ変換のための、必須の構築ブロックである。実際、データの適切な変換には、前記データの適切な識別が要求される。このように、ＵＲＩの設計が不適切であると、データの不適切な変換が生じることがあり得る。
【００５３】
いくつかの実施形態では、「データ変換」モジュール（１ｃ）の命令は、プロセッサによって実行可能であり、データ変換、すなわち国際化およびローカライゼーションのための前記データのコーディングとのための少なくとも１つのコネクタライブラリを設計し実装するためのツールセットを提供し、前記ツールセットは、フィールドとアプリケーションとの間で再利用可能である。
【００５４】
多くのデータが、現在では、たとえば非限定的な例であるが、データベース、スプレッドシート、ＸＭＬ文書、プロプライエタリなファイルフォーマットを含む過剰なフォーマットで入手可能である。
【００５５】
いくつかの実施形態では、「データ変換」モジュール（１ｃ）の命令によって供給されたツールセットは、プロセッサによって実行可能であり、プロバイダからのデータセットをＲＤＦフォーマットに移行させるのに用いられる。
【００５６】
いくつかの実施形態では、前記データセットの選択は、少なくとも、以下の点、すなわち：
データをカットすることまたは特定のモデルの拡張を必要とせずに、広範囲のデータパターンを扱うための、選択されたオントロジのカタログにおける能力と、
余分な作業なしで、または、ワークフローの間のアドホックな介入を許容することなく、最も多様なフォーマットもしくは元のフォーマットおよび符号化でのデータの移行を保証するためのツールの変換のセットの能力と、
供給されたデータセットの間に相互接続されるかまたはリンクされたデータのクラウドに属する他のデータセットと相互接続されるかのいずれかであるデータを、「データ相互接続」モジュール（１ｄ）に提供するためのデータセットの能力と、
を確認することによって、ツールセットの堅牢性とスケーラビリティとを評価するために、前記データセットの選択がなされる。
【００５７】
いくつかの実施形態では、「データ変換」モジュール（１ｃ）のプロセッサによって実行可能な命令によって供給されたツールセットは、ライセンスおよび権利をデータに追加する。
【００５８】
セマンティックウェブからのメタデータに関する問合せまたは推論の間には、これらのメタデータのソースは、特に、たとえば、サービス品質、ライセンスまたはアクセス権の問題が考慮される場合には、大きな重要性を有する。セマンティックウェブ経由で入手可能なＲＤＦデータをサーチ、追加、修正または消去するＳＰＡＲＱＬリクエストの言語は、モデルを名前付きグラフ（ｎａｍｅｄ  ｇｒａｐｈｓ）と一致させるためのキーワードを供給し、前記データのソースに関する情報をまったく有しない。しかし、トリプレットを表現することに焦点を置くＲＤＦデータのモデルでは、多くの場合に、プロセッサによって実行可能な命令が、これらのＲＤＦトリプレットに、典型的にはそれらの現実のまたは仮想的な発生元を特定するＩＲＩ（Ｉｎｔｅｒｎａｔｉｏｎａｌｉｚｅｄ  Ｒｅｓｏｕｒｃｅ  Ｉｄｅｎｔｉｆｉｅｒ）であるが、各トリプレットに対するソースの概念を追加する。前記ソースは、また、たとえば、データの発生元とライセンスおよび権利とに関する情報を備える。
【００５９】
ＩＲＩとは、世界の異なる言語において用いられる様々なアルファベットを考慮しているコンピュータアドレスのタイプを意味する。
【００６０】
いくつかの実施形態では、「データ変換」モジュール（１ｃ）の、プロセッサによって実行可能である命令によって供給されたツールセットは、データと関連する各ＲＤＦトリプレットにソース「概念」を追加し、各ソースは、前記データの実際のまたは仮想的な発生元を特定する。
【００６１】
いくつかの実施形態では、「データ相互接続」モジュール（１ｄ）におけるデータセットのキー識別子の自動計算のためのツールセットは、ＲＤＦデータセットのペアリングのために修正された「Ｆｅｌｌｅｇｉ−Ｓｕｎｔｅｒ」アーカイブをリンクさせるためのモデルを用いた統計データの解析のための少なくとも１つのプロセスを備える。
【００６２】
データの相互接続は、データセット経由で、同等なリソースを識別することを目的とする。現在の相互接続ツールは、アルゴリズムにおける性質の手動での入力が、たとえばリソースを一意的に識別するために比較されることを、必ず要求する。修正された「Ｆｅｌｌｅｇｉ−Ｓｕｎｔｅｒ」モデルでは、このタスクを、自動化している。
【００６３】
いくつかの実施形態では、「データ相互接続」モジュール（１ｄ）におけるデータセットのキー識別子の自動計算のためのツールセットは、処理されたデータセットにキープロパティの計算結果を添付するための少なくとも１つのメタデータ語彙を備える。
【００６４】
いくつかの実施形態では、「データ相互接続」モジュール（１ｄ）におけるデータセットのキー識別子の自動計算のためのツールセットは、キープロパティの自動計算によって生成されたキー識別子に少なくとも基づく少なくとも１つの相互接続ツールを備える。
【００６５】
いくつかの実施形態では、プラットフォームは、セマンティックデータの記憶のための「データ公開」モジュール（１ｅ）も備える。
【００６６】
いくつかの実施形態では、「データ公開」モジュール（１ｅ）は、データサーバまたはクラウドタイプのアーキテクチャを有しており、自律的であるかまたはプラットフォーム（１）の中に統合されているかのいずれかである。
【００６７】
いくつかの実施形態では、「データ公開」モジュール（１ｅ）は、少なくとも１つのＲＤＦストレージシステムと、データプロバイダが、データの「昇格」から生じるデータを、リンクされたデータの形式で、プラットフォーム上において、示すようにさせるための前記モジュールの、プロセッサによって実行可能である命令によって供給されたツールセットと、を備える。
【００６８】
いくつかの実施形態では、「データ公開」モジュール（１ｅ）は、また、リクエストおよびプログラミングインターフェースと、ＵＲＩ逆参照機構とデータ相互接続モジュール（１ｄ）のツールの結果として生じる相互接続の公開とを提供するためのツールセットと、を備える。
【００６９】
いくつかの実施形態では、プラットフォームは、また、プラットフォームにおけるデータの公開の上流におけるアプリケーションの開発と「昇格」のプロセスの評価のための「データおよびアプリケーションの評価」（１ｆ）モジュールを備える。
【００７０】
「オントロジ選択」（１ｂ）、「データ変換」（１ｃ）、および「データ相互接続」（１ｄ）モジュールは、「データ公開」モジュール（１ｅ）に接続され、後者は、次に、「データおよびアプリケーションの評価」モジュール（１ｆ）に接続されている。「オントロジ選択」モジュール（１ｂ）から来るデータは、選択されたオントロジに従ってＲＤＦフォーマットに変換されるために、「データ変換」モジュール（１ｃ）に伝送される。この段階で、データは、それらが相互接続されていない場合であってさえも、専用のメモリへの記憶のために、「データ公開」モジュール（１ｅ）に伝送されることがあり得る。相互接続のためには、データは、「データ変換」モジュール（１ｃ）を通過した後で、「データ相互接続」モジュール（１ｄ）を通過しなければならない。
【００７１】
いくつかの実施形態では、プロセッサによって実行可能である、「データおよびアプリケーションの評価」モジュール（１ｆ）の命令は、公開データを問い合わせるおよび／または調査するおよび／または見るための手段を開発するためのツールセットを提供する。
【００７２】
いくつかの実施形態では、前記ツールセットは、前記アプリケーションのサービスと機能とを改善するために、開発されたアプリケーションにおいて、データプロバイダとユーザとからのフィードバックを要求するための少なくとも１つのインターフェースを備える。
【００７３】
いくつかの実施形態では、「データおよびアプリケーションの評価」モジュール（１ｆ）で実行されたコードは、少なくとも：
統計データウェブアプリケーションの地理表示と複合地図／時間とのためのウェブユーザインターフェースと、
ライセンスおよび権利の添付のモデルを用いることによって、データの発生元と信頼性とに関して通知するウェブユーザインターフェースと、
グラフィクスと定量的背景情報に関するそれ以外の表示とを生成するための無料ウェブの規格を配備するウェブユーザインターフェースと、
を実行する。
【００７４】
いくつかの実施形態では、「データおよびアプリケーションの評価」モジュールにおいて実行されたコードは、また、モバイルアプリケーションのための少なくとも１つのＡＰＩを実行し、前記ＡＰＩは、プラットフォーム（１）で公開されるリンクされたデータへのアクセスを提供する。
【００７５】
いくつかの実施形態では、「管理システム」（１ａ）は、プラットフォームの各モジュールへのアクセスを与えるための少なくとも１つのプログラミングインターフェース（ＡＰＩ）を提供する、プロセッサによって実行可能な命令を備えており、前記ＡＰＩは、データ公開を拡張するまたは改善する新たなモジュールの開発である、外部ツールにおけるデータの「昇格」を含む。
【００７６】
本発明は、また、ソースデータを、相互接続されたまたはリンクされたセマンティックデータに変換するためのデータの「昇格」の方法にも関する。
【００７７】
いくつかの実施形態では、データの記憶のための少なくとも１つのメモリを備えたコンピュータアーキテクチャの少なくともプロセッサにおいて実行される、サブプロセスのセットを備えており、相互接続されたセマンティックデータにソースデータを「昇格させる」ための方法であって、前記セットが、少なくとも：
−  データ公開のためにオントロジを選択するステップと、
−  前記データを適切なフォーマットに変換するステップと、
−  データを他のソースと相互接続するステップと、
−  前記リンクされたデータを公開するステップと、
を実行し、前記方法は：
オントロジを選択するためのサブプロセスが、オントロジのサーチプロセスと、オントロジメトリックプロセスと、オントロジ類似性測定プロセスとの少なくとも１つの実行ステップを備えており、前記プロセスは接続されており、
データ相互接続サブプロセスが、統計モデルによってデータセットにおけるキー識別子の少なくとも１つの自動計算を実行する、
ことを特徴とする。
【００７８】
いくつかの実施形態では、オントロジを選択するためのサブプロセスは、また：
使用可能なオントロジの選択のために、プロセスおよびインジケータを定義および選択するステップと、
定義されたプロセスおよびインジケータに基づいて、オントロジのカタログを構築するステップと、
特定の知識をモデル化するステップと、
プロバイダからのデータモデルをカタログのオントロジにマッピングするステップと、
を備える。
【００７９】
いくつかの実施形態では、データ変換サブプロセスが：
データエディタのために、ＵＲＩポリシを定義し、ガイドラインを作成するステップと、
一式の変換ツールを開発するステップと、
一式の変換ツールをデータセットに適用するステップと、
ライセンスおよび権利をデータに添付するステップと、
を備える。
【００８０】
いくつかの実施形態では、ライセンスおよび権利をデータに添付するためのステップは、少なくとも：
発生元情報を、名前付きグラフと、ＲＤＦモデルおよびＲＤＦ／ＸＭＬシンタックスの拡張とによって、ＲＤＦグラフに追加するステップと、
ライセンス情報を発生元と名前付きグラフィクスとにリンクさせ、ライセンスに関する情報リンクを取得するための手段をデータ要素に提供するステップと、
応答において用いられるデータのトレーサビリティを可能にするリクエスト機構を拡張するステップと、
リクエストが、これらのグラフのデータを用いることができ、権利を記述するフォーマリズムを提供することができるように、確認される制限を指示することによって、アクセス権をグラフにリンクさせるステップと、
リクエストを解決するためのプロセスの間に、アクセス権を考慮するためのリクエスト機構を拡張するステップと、
を備える。
【００８１】
いくつかの実施形態では、データ相互接続サブプロセスは、また：
データセットの相互接続ツールを開発するステップと、
相互接続ツールを、データセットに適用するステップと、
を備える。
【００８２】
いくつかの実施形態では、プロセスとインジケータとが、カタログ、データの変換およびデータ相互接続の構築に対するそれらの効率を評価することによって、反復的に選択される。
【００８３】
本出願は、図面および／または様々な実施形態を参照して、様々な技術的特性および効果を説明している。当業者であれば、そうではないことが明示的に述べられているか、または、それらの特性が互換的ではないか、またはその組合せが、本出願で言及された技術的問題の少なくとも１つに対する解決も提供しないことが明らかでない限り、ある与えられた実施形態の技術的特性は、実際には、別の実施形態の特性と組み合わされることが可能であることを理解するであろう。また、ある与えられた実施形態において説明された技術的特性は、そうではないことが明示的に述べられていない場合には、この実施形態の他の特性と分離されることが可能である。
【００８４】
本発明は、特許請求の範囲に記載された本発明の適用分野から逸脱することなく、多くの他の特定の形式での実施形態を可能にするということは、当業者には明らかなはずである。結論として、本明細書で述べた実施形態は、例証によるものであると考えられるべきであり、しかし、添付の特許請求の範囲によって定義された分野において修正されることが可能であって、本発明は、以上で与えられた詳細に限定されるべきではない。
【符号の説明】
【００８５】
１  プラットフォーム
１ｂ  「オントロジ選択」モジュール
１ｃ  「データ変換」モジュール
１ｄ  「データ相互接続」モジュール
１ｅ  「データ公開」モジュール
１ｆ  「データおよびアプリケーションの評価」モジュール
【図１】
2018109977.tif 000003
【外国語明細書】
2018109977000001.pdf